(57)【要約】【課題】  画像データを供給するパーソナルコンピュータ１００と、無線通信によってネットワーク接続されるプロジェクタ１０と、情報記憶媒体としての赤外線リモートコントローラ２００と、を備え、簡単にネットワーク接続を確立できるプレゼンテーションシステムを提供する。【解決手段】  プレゼンテーションシステムは、画像情報を供給するパーソナルコンピュータ１００と、無線通信によってネットワーク接続されるプロジェクタ１０と、を備えるプレゼンテーションシステムであって、ネットワーク接続を確立するためにパーソナルコンピュータ１００のネットワーク接続情報を記憶する記憶部を有する赤外線リモートコントローラ２００を備え、赤外線リモートコントローラ２００に記憶されたネットワーク接続情報をプロジェクタ１０に入力することによって、パーソナルコンピュータ１００とネットワーク接続が確立される。【選択図】      図１
2005202754.tif 000002
【特許請求の範囲】
【請求項１】
画像情報を供給する情報端末装置と、該情報端末装置と通信によってネットワーク接続されるプロジェクタと、を備えるプレゼンテーションシステムであって、
前記情報端末装置のネットワーク接続情報を記憶する情報記憶媒体を備え、
前記情報記憶媒体に記憶されたネットワーク接続情報を前記プロジェクタに入力することによって、前記情報端末装置とネットワーク接続が確立されることを特徴とするプレゼンテーションシステム。
【請求項２】
請求項１に記載のプレゼンテーションシステムにおいて、
前記情報記憶媒体が、前記ネットワーク接続情報を記憶する記憶部を備える赤外線リモートコントローラであることを特徴とするプレゼンテーションシステム。
【請求項３】
請求項１または請求項２に記載のプレゼンテーションシステムにおいて、
前記情報端末装置に備えられたＵＳＢコネクタと、
前記赤外線リモートコントローラに備えられたＵＳＢコネクタと、
を接続することによって、前記リモートコントローラに前記ネットワーク接続情報が入力、記憶されることを特徴とするプレゼンテーションシステム。
【請求項４】
請求項１ないし請求項３のいずれかに記載のプレゼンテーションシステムにおいて、
前記赤外線リモートコントローラの記憶部が、前記ネットワーク接続情報を記憶された後、前記情報端末装置とのＵＳＢ接続を切り離し、記憶された前記ネットワーク接続情報を前記プロジェクタに赤外線通信で送信することによって、前記ネットワーク接続が確立されることを特徴とするプレゼンテーションシステム。
【請求項５】
請求項１ないし請求項４のいずれかに記載のプレゼンテーションシステムにおいて、
前記ネットワーク接続と前記赤外線通信は、暗号通信を用いた通信で接続されることを特徴とするプレゼンテーションシステム。
【請求項６】
請求項１に記載のプロジェクタにおいて、
前記情報記憶媒体がメモリカードであって、前記情報端末装置のネットワーク接続情報をメモリカードに記憶した後、前記メモリカードを前記プロジェクタに挿着し、前記ネットワーク接続情報を前記プロジェクタに転送することによって、前記ネットワーク接続が確立することを特徴とするプレゼンテーションシステム。
【発明の詳細な説明】
【技術分野】
【０００１】
本発明は、画像情報を供給する情報端末装置とプロジェクタとのネットワーク接続によるプレゼンテーションシステムに関する。
【背景技術】
【０００２】
近来、パーソナルコンピュータ等の情報端末装置の画像データをスクリーンに拡大投写するプロジェクタが普及している。これらのプロジェクタは、有線通信あるいは無線通信によってパーソナルコンピュータとネットワーク接続して使用される。特に、場所等の制約が少ないというような利便性からネットワーク接続が、無線ＬＡＮ（Ｌｏｃａｌ  Ａｒｅａ  Ｎｅｔｗｏｒｋ）を用いたプロジェクタのネットワークシステムが提供されている。
【０００３】
このような無線ＬＡＮを用いたプレゼンテーションシステムは、幾つかのネットワーク接続情報を互いに通信できるように設定し、パーソナルコンピュータとプロジェクタとのネットワーク接続を確立できるようにしなければならない。このような場合、プロジェクタの投写スクリーンに表示されたプロジェクタのネットワーク接続情報（例えば、ＩＰアドレスや無線ＬＡＮのＥＳＳＩＤ等）を見て、ユーザーが適切なネットワーク情報を判断して、キーボード等の操作をして情報端末装置に入力し、ネットワークの接続を確立するというプレゼンテーションシステムが知られている（例えば、特許文献１）。
【０００４】
【特許文献１】特開２００３−６９９２３号広報（第６頁、図２）
【発明の開示】
【発明が解決しようとする課題】
【０００５】
このような特許文献１で示されるプレゼンテーションシステムでは、画像データを供給する情報端末装置と画像データの投写を行うプロジェクタのネットワーク接続のために、投写スクリーンに表示されたプロジェクタのネットワーク情報から、ユーザーが適切な情報端末装置のネットワーク情報を判断して、キーボードやマウスを用いて情報端末装置に入力することでネットワークの接続を確立しているために、その都度、ユーザーが手動で操作をしなければならないという煩わしさがある。
【０００６】
本発明の目的は、簡単にネットワーク接続を確立できるプレゼンテーションシステムを提供することである。
【課題を解決するための手段】
【０００７】
上述した課題を解決するために、本発明では、以下の構成を採用した。
本発明のプレゼンテーションシステムは、画像情報を供給する情報端末装置と、該情報端末装置と無線通信によってネットワーク接続されるプロジェクタと、を備えるプレゼンテーションシステムであって、前記ネットワーク接続を確立するために前記情報端末装置のネットワーク接続情報を記憶する情報記憶媒体を備え、前記情報記憶媒体に記憶されたネットワーク接続情報を前記プロジェクタに入力することによって、前記情報端末装置とネットワーク接続が確立されることを特徴とする。
ここで、情報端末装置としては、パーソナルコンピュータを採用することができる。
【０００８】
このような構成によれば、情報端末装置とプロジェクタとを無線通信によってネットワーク接続し、プレゼンテーションシステムを構成することができる。この際、情報端末装置が持っているネットワーク接続情報を情報記憶媒体に一旦記憶させ、この情報記憶媒体からプロジェクタに送信することで、情報端末装置とプロジェクタとに共通のネットワーク接続情報を持たせることができ、正確にネットワーク接続が可能になる。
【０００９】
この際、情報端末装置から情報記憶媒体へのネットワーク接続情報の移送は、例えば、情報記憶媒体を情報端末装置に挿着することにより可能であり、情報記憶媒体に記憶されたネットワーク接続情報をプロジェクタに送信するには、やはり、情報記憶媒体をプロジェクタに挿着する、または、情報記憶媒体から赤外線通信等の通信手段で送信することができるため、煩わしいキーボード操作等が不要になり、簡単にネットワーク接続を確立することができる。
【００１０】
また、無線通信によるネットワーク接続は、秘匿性の確保が難しいが、上述の構成によれば、ネットワーク接続情報が、情報記憶媒体を一旦介してプロジェクタに移送されて接続が確立されるため、ネットワーク接続情報は当該情報端末装置と当該プロジェクタの１対１になるため、不当な使用を防止できる他、セキュリティ確保ができるという効果もある。
【００１１】
本発明のプレゼンテーションシステムにおいては、前記情報記憶媒体が、前記ネットワーク接続情報を記憶する記憶部を備える赤外線リモートコントローラであることが好ましい。
【００１２】
一般に赤外線リモートコントローラは、あらかじめ対象となる電子機器の操作、制御情報を記憶部等に記憶させておき、赤外線通信によって電子機器が操作、制御される。上述の構成によれば、この赤外線リモートコントローラは情報記憶媒体としての記憶部を備えているので、情報端末装置が有するネットワーク接続情報を記憶し、赤外線通信によってプロジェクタに送信し、ネットワーク接続を確立することができる。従って、ユーザーと離れた場所、例えば、天吊りのプロジェクタに遠隔操作でネットワーク接続情報を送信し、ネットワーク接続を確立することができる。
【００１３】
前述した構成では、前記赤外線リモートコントローラに、前記情報端末装置に備えられたＵＳＢコネクタと、前記赤外線リモートコントローラに備えられたＵＳＢコネクタと、を接続することによって、前記ネットワーク接続情報が入力、記憶されることが好ましい。
【００１４】
このような構成では、情報端末装置と赤外線リモートコントローラとは、ＵＳＢ（Ｕｎｉｖｅｒｓａｌ  Ｓｅｒｉａｌ  Ｂｕｓ）接続され、情報端末装置からネットワーク接続情報が送信されるため、データ送信の信頼性が高く、赤外線リモートコントローラの記憶部に正確にネットワーク接続情報を記憶させることができる。このデータ送信はＵＳＢケーブルを通して行われるために情報の秘匿性が高くなるという効果がある。
【００１５】
また、前述の構成によれば、前記赤外線リモートコントローラが、前記ネットワーク接続情報を記憶部に記憶した後、前記情報端末装置とのＵＳＢ接続を切り離し、記憶された前記ネットワーク接続情報を前記プロジェクタに赤外線通信で送信することによって、前記ネットワーク接続が確立されることが好ましい。
【００１６】
このように、赤外線リモートコントローラにネットワーク接続情報を送信した後、例えば、情報端末装置もしくは赤外線リモートコントローラのどちらか一方のＵＳＢコネクタを抜脱してから赤外線送信されるため、ユーザーは、情報端末装置から離れて任意の位置から赤外線リモートコントローラを操作することができる。赤外線リモートコントローラは、プロジェクタの操作、制御を遠隔操作によって行うための装置であり、ネットワーク接続操作も同様に、操作する場所に制約が少なく便利である。
【００１７】
また、情報端末装置と赤外線リモートコントローラがＵＳＢ接続されたままでは、情報端末装置を誤って操作した場合などに、ネットワーク接続情報を更新してしまったり、不必要な情報を送信してしまう恐れが考えられる。しかし、ネットワーク接続終了後に、ＵＳＢ接続を切断してしまえば、そのような課題を防止することができる。
さらに、ネットワーク接続を一旦切断し、再度立ち上げるときに、同じ情報端末装置とプロジェクタの組合せであれば、再度、ＵＳＢ接続をせずに、当該赤外線リモートコントローラでネットワーク接続を確立することができる。
【００１８】
なお、前述の構成では、前記ネットワーク接続と前記赤外線通信は、暗号通信を用いた通信で接続されることが望ましい。
【００１９】
前述のネットワーク接続は無線通信で行われる。無線は指向性が低いため、接続対象プロジェクタの近傍に他のプロジェクタがある場合に、そのプロジェクタともネットワークが接続されてしまう恐れがある。また、赤外線通信は、無線通信よりも指向性は高いが同様な恐れがある。従って、これらの通信は、暗号通信で行われる。従って、無線通信、赤外線通信であっても、情報の秘匿性を高め、また、不正なネットワーク接続を防止することができる。
【００２０】
また、前述本発明のプレゼンテーションシステムの構成によれば、前記情報記憶媒体がメモリカードであって、前記情報端末装置のネットワーク接続情報をメモリカードに記憶した後、前記メモリカードを前記プロジェクタに挿着し、前記ネットワーク接続情報を前記プロジェクタに転送することによって、前記ネットワーク接続が確立することが好ましい。
ここで、メモリカードとしては、ＣＦ（Ｃｏｍｐａｃｔ  Ｆｌａｓｈ）カード、メモリスティック（ソニー株式会社の登録商標）、マルチメディアカード等を採用することができる。
【００２１】
このように、情報記憶媒体がメモリカードの場合も、メモリカードを、例えば、情報端末装置のメモリカードスロットに挿着し、ネットワーク接続情報をメモリカードに移送し、また、このメモリカードを画像投写対象のプロジェクタのやはりメモリカードスロットに挿着することによってプロジェクタと情報端末装置のネットワーク接続が確立されるので、情報端末装置のキーボード、マウス等の操作をせずに、ネットワーク接続を確立することができる。
また、メモリカードをユーザーが直接扱うことになるため情報の秘匿性が高められ、不正使用が防止できるという効果もある。
【発明を実施するための最良の形態】
【００２２】
以下、本発明の実施の形態を図面に基づいて説明する。
図１〜図３に本発明の実施例１のプレゼンテーションシステムが、図４〜図６は、実施例２のプレゼンテーションシステムの構成及びフローチャートが示されている。
【実施例１】
【００２３】
図１は、本実施例１のプレゼンテーションシステムの概略構成を示す説明図である。図１において、本実施例１のプロジェクタのネットワークシステムは、プロジェクタ１０と、パーソナルコンピュータ１００とを無線通信でネットワーク接続することで構成されている。図１では、パーソナルコンピュータは１台接続されているが、パーソナルコンピュータの台数は１台に限らず何台接続してもよい。また、パーソナルコンピュータの代わりに、他の情報端末装置を用いるものとしてもよい。なお、このプロジェクタのネットワークシステムは、会議室や講堂等のプレゼンテーション会場の限られた空間で使用される。
【００２４】
プロジェクタ１０は、パーソナルコンピュータ１００から受信した画像データをスクリーン４００に拡大投写する、いわゆるデータプロジェクタである。プロジェクタ１０とパーソナルコンピュータ１００とは、無線ＬＡＮによってネットワーク接続される。本実施例１では、プロジェクタ１０には、無線通信を行う無線ＬＡＮカード３００がスロットに挿着され、その近傍には、赤外線通信用の赤外線受信部４０が備えられている。情報端末装置としてのパーソナルコンピュータ１００にも無線ＬＡＮカード３１０が挿着され、この無線ＬＡＮカード間で無線通信が行われ、ネットワークが確立される。
【００２５】
プロジェクタ１０は、パーソナルコンピュータ１００から画像データを無線通信で供給されると内部で画像データを投写できる状態に画像処理をして、その画像データが、投写部５０からスクリーン４００に拡大投写される。
【００２６】
パーソナルコンピュータ１００は、詳しくは後述するが（図２、参照）、大きくは、表示部１１０と機能操作する操作部１２０とから構成され、端面に前述した無線ＬＡＮカード３１０が挿着されている。その近傍にパーソナルコンピュータ側のＵＳＢコネクタ１６５が設けられ、ＵＳＢ端子２３０が挿着される。ＵＳＢ接続ケーブル２４０は、両端にＵＳＢ端子２３０が接続されており、一方がパーソナルコンピュータ１００に、他方が赤外線リモートコントローラ２００側のＵＳＢコネクタ２３５に接続されている。
【００２７】
ＵＳＢ接続ケーブル２４０でパーソナルコンピュータ１００と接続された赤外線リモートコントローラ２００は、詳しくは後述するが（図２、参照）、ネットワーク接続情報や制御機能等が表示される表示部２１０と、機能操作するための操作部２２０から構成されている。このようにして、パーソナルコンピュータ１００と赤外線リモートコントローラ２００は、ＵＳＢ接続ケーブル２４０で接続され、有線通信によって、ネットワーク接続に要求される情報が送信される。
なお、赤外線リモートコントローラ２００の表示部２１０は、操作部２２０に、機能操作に必要な機能操作部が備えられていれば必ずしも設けなくてもよい。
【００２８】
続いて、実施例１のプレゼンテーションシステムの構成について詳しく説明する。
図２は、実施例１のプレゼンテーションシステムの構成を示すブロック図である。ここで、図２では、本発明に係るネットワーク接続に必要な構成について示しており、他の構成にについては図示及び説明を省略する。図２において、情報端末装置としてのパーソナルコンピュータ１００は、ネットワーク接続設定に必要な情報が記憶されている記憶部１３０と、その記憶されている情報を用いて無線ＬＡＮの立ち上げ、通信接続をする無線ＬＡＮ接続用ソフトウエア１４０と、無線通信出力指示及びネットワーク接続のための出力をする通信部１５０と、赤外線リモートコントローラ２００にネットワーク接続に必要なネットワーク接続情報を送信する接続装置としてのＵＳＢ端子２３０が挿着されるＵＳＢコネクタ１６５と、プロジェクタ１０に備えられた無線ＬＡＮカード３００と無線通信を行う無線ＬＡＮカード３１０と、を備えている。
【００２９】
ここで、前述した無線ＬＡＮ設定に必要な情報としては、ＥＳＳＩＤ（Ｗｘｔｅｂｄｅｄ  Ｓｅｒｖｉｃｅ  Ｓｅｔ  Ｉｎｄｅｎｔｉｆｉｅｒ）、ＩＰ（Ｉｎｔｅｒｎｅｔ  Ｐｒｏｔｏｃｏｌ）アドレス、無線ＬＡＮモード、サブネット接続情報、無線ＬＡＮのＷＥＰ（Ｗｉｒｅｄ  Ｅｑｕｉｖａｌｅｎｔ  Ｐｒｉｖａｃｙ）使用情報等が含まれる。ＥＳＳＩＤは、電波による通信の際、複数のネットワークとの混信状態を防止するために、無線ＬＡＮのアクセスポイントであるパーソナルコンピュータと端末であるプロジェクタとの間に設定され、このＥＳＳＩＤが一致する端末でなければ通信は確立されない。
また、この無線ＬＡＮによる通信は暗号通信で行われる。
【００３０】
さらに、パーソナルコンピュータ１００は、無線ＬＡＮ接続用ソフトウエア１４０の立ち上げ、通信部１５０の通信指示を行うキーボードやマウスなどの操作部１２０を備え、また、前述したネットワーク接続に必要な情報及び他のアプリケーション情報を表示する表示部１１０を備えている。
パーソナルコンピュータ１００はこのような構成であり、まず、ネットワーク接続に必要な情報が赤外線リモートコントローラ２００に送信される。
【００３１】
赤外線リモートコントローラ２００は、パーソナルコンピュータ１００から送信されるネットワーク接続情報の入口となるＵＳＢ端子２３０が接続されるＵＳＢコネクタ２３５と、その情報を記憶する記憶部２６０と、一旦記憶されたネットワーク接続情報をプロジェクタ１０に送信する赤外線送信部２５０と、を備える。また、ネットワーク接続情報を表示する表示部２１０を備える。なお、この表示部２１０は、必ずしも備えなくてもよい。さらに、赤外線送信部２５０に送信指示をし、プロジェクタ１０を遠隔操作するための操作部２２０を備えている。
赤外線リモートコントローラ２００から送信されたネットワーク接続情報は、プロジェクタ１０に送信される。この際、赤外線通信には、暗号通信が用いられることが好ましい。
【００３２】
プロジェクタ１０は、前述のネットワーク接続情報を受信する赤外線受信部４０と、プロジェクタ１０側に必要なネットワーク接続を記憶する記憶部２０と、無線ＬＡＮの通信接続を確立した後、パーソナルコンピュータ１００との間で無線通信を行う無線ＬＡＮカード３００と、無線通信によって送信されるパーソナルコンピュータ１００の画像データを、投写画像データに変換処理をする表示制御部３０と、この画像データを投写する投写部５０を備えている。
【００３３】
次に、前述した実施例１のプレゼンテーションシステムの操作手順について説明する。
図３は、実施例１のネットワーク接続の流れを示すフローチャートである。図１、図２も参照して説明する。図３において、まず、ＵＳＢ端子２３０（ＵＳＢケーブル２４０を含む）が接続された赤外線リモートコントローラ２００をパーソナルコンピュータ１００のＵＳＢコネクタ１６５に接続する（ＳＴ１）。続いて、パーソナルコンピュータ１００の無線ＬＡＮ接続用ソフトウエア１４０を立ち上げる（ＳＴ２）。この無線ＬＡＮ接続用ソフトウエア１４０を操作部１２０で操作し、赤外線リモートコントローラ２００にネットワーク接続情報（無線ＬＡＮ設定情報）を送信する（ＳＴ３）。
【００３４】
赤外線リモートコントローラ２００では、記憶部１３０に前述のネットワーク接続情報が記憶される（ＳＴ４）。ここで、赤外線リモートコントローラ２００のＵＳＢ端子２３０をパーソナルコンピュータ１００から抜脱し、ＵＳＢ接続を切断する（ＳＴ５）。
ここで、パーソナルコンピュータ１００と赤外線リモートコントローラ２００との切断は、パーソナルコンピュータ１００側でも、赤外線リモートコントローラ２００側で行ってもよい。
【００３５】
赤外線リモートコントローラ２００は、記憶されたパーソナルコンピュータ１００のＩＰアドレスとその他のネットワーク接続情報（無線ＬＡＮ設定情報）を、操作部１２０の操作によって、赤外線通信によってプロジェクタ１０に送信する（ＳＴ６）。プロジェクタ１０では、送信されたネットワーク接続情報を受信し（ＳＴ７）、記憶部２０に記憶させる（ＳＴ８）。プロジェクタ１０は、ＩＰアドレスとサブネットマスク情報を見て、同じサブネットに属するＩＰアドレスを自動的に決めて、自分のＩＰアドレスにセットし、パーソナルコンピュータ１００との間で無線接続ができるように、プロジェクタ１０の記憶部２０にあらかじめ設定されている前述のネットワーク接続情報（無線ＬＡＮ設定情報）を更新する（ＳＴ９）。このようにして無線接続が確立される（ＳＴ１０）。
無線接続が確立されると、パーソナルコンピュータ１００から画像データが送信され、プロジェクタ１０は、その画像データをスクリーン４００に拡大投写する。
【００３６】
従って、前述の実施例１では、パーソナルコンピュータ１００とプロジェクタ１０とを無線通信によってネットワーク接続しプレゼンテーションシステムを構成している。パーソナルコンピュータ１００とプロジェクタ１０とをネットワーク接続するためには、それぞれが共通のネットワーク接続情報（無線ＬＡＮ設定情報）を持たなければならない。この際、パーソナルコンピュータ１００が持っているネットワーク接続情報を赤外線リモートコントローラ２００の記憶部２６０に一旦記憶させ、赤外線送信部２５０からプロジェクタ１０の赤外線受信部４０に送信することで正確なネットワーク接続が可能になる。
【００３７】
この際、パーソナルコンピュータ１００から赤外線リモートコントローラ２００へのネットワーク接続情報の転送は、赤外線リモートコントローラ２００とパーソナルコンピュータ１００とのＵＳＢ接続を介して可能であり、赤外線リモートコントローラ２００に記憶されたネットワーク接続情報をプロジェクタ１０に送信するには、赤外線リモートコントローラ２００から赤外線通信でプロジェクタ１０に送信することができるため、煩わしい操作が不要になり、簡単にネットワーク接続を確立することができる。
【００３８】
また、無線通信によるネットワーク接続は、無線に指向性がないため秘匿性の確保が難しいが、上述の構成によれば、ネットワーク接続情報が、赤外線リモートコントローラ２００を一旦介してプロジェクタ１０に送信されて接続が確立されるため、ネットワーク接続情報は当該赤外線リモートコントローラ２００と当該プロジェクタ１０の１対１の接続になるため、不当な使用を防止できる他、セキュリティ確保という効果もある。
【００３９】
上述の構成によれば、この赤外線リモートコントローラ２００は記憶部２６０を備えているので、パーソナルコンピュータ１００が有するネットワーク接続情報を記憶し、赤外線通信によってプロジェクタに送信し、ネットワーク接続を確立することができる。従って、ユーザーと離れた場所、例えば、天吊りのプロジェクタに遠隔操作でネットワーク接続情報を送信し、ネットワーク接続を確立することができる。
【００４０】
また、赤外線リモートコントローラ２００にネットワーク接続情報を送信した後、パーソナルコンピュータ１００と赤外線リモートコントローラ２００とのＵＳＢ接続を切断した後、ユーザーは、パーソナルコンピュータ１００から離れて任意の位置から赤外線リモートコントローラ２００を操作することができる。赤外線リモートコントローラ２００は、プロジェクタ１０の操作を遠隔操作によって行うための装置であり、ネットワーク接続操作も同様に、操作する場所に制約が少なく便利である。
【００４１】
さらに、パーソナルコンピュータ１００と赤外線リモートコントローラ２００がＵＳＢ接続されたままでは、パーソナルコンピュータ１００を誤って操作した場合などに、ネットワーク接続情報を意識せずに更新してしまったり、不必要な情報を送信してしまう恐れがある。しかし、ネットワーク接続終了後に、ＵＳＢ接続を切断してしまえば、そのような課題を防止することができる。
そのうえ、ネットワーク接続を一旦切断し、再度立ち上げるときに、同じパーソナルコンピュータとプロジェクタの組合せであれば、再度、ＵＳＢ接続をせずに、当該赤外線リモートコントローラでネットワーク接続を確立することができるという効果がある。
【００４２】
前述の実施例１によれば、ネットワーク接続は無線通信で行われる。無線は指向性が低いため、接続対象プロジェクタの近傍に他のプロジェクタがある場合に、そのプロジェクタともネットワークが接続されてしまう恐れがある。また、赤外線通信は、無線通信よりも指向性は高いが同様な恐れがある。従って、これらの通信は、暗号通信で行われる。従って、無線通信、赤外線通信であっても、情報の秘匿性と不正なネットワーク接続を防止することができる。
【００４３】
なお、パーソナルコンピュータ１００とプロジェクタのネットワーク接続は、前述した手順（図３、参照）の他に、パーソナルコンピュータ１００は、自分のＩＰアドレスとサブネットマスク情報から、プロジェクタに伝えるべき同じサブネットに属するＩＰアドレスを自動的に決め、そのＩＰアドレスとその他のネットワーク接続情報とを赤外線通信によってプロジェクタ１０に伝え、プロジェクタ１０は、そのＩＰアドレス等のネットワーク接続情報をそのまま自分にセットすることで、通信できる状態にすることができる。
【実施例２】
【００４４】
続いて、本発明のプレゼンテーションシステムの実施例２について説明する。実施例２は、情報記憶媒体としてメモリカード３２０を採用したことに特徴があり、パーソナルコンピュータ１００のネットワーク接続情報をメモリカード３２０に一旦記憶させた後、プロジェクタ１０に、その情報を送信する構成である。実施例１と同様な構成部の説明は、簡略化している。
図４は、本実施例２のプレゼンテーションシステムの概略構成を示す説明図である。図４において、プロジェクタ１０と、パーソナルコンピュータ１００とは、無線通信でネットワーク接続することで構成されている。
【００４５】
プロジェクタ１０には、無線通信を行う無線ＬＡＮカード３００がスロットに挿着され、その近傍には、メモリカード３２０が挿着されるメモリカードスロット６０が設けられている。パーソナルコンピュータ１００にも無線ＬＡＮカード３１０が挿着され、この無線ＬＡＮカードで無線通信が行われる。
プロジェクタ１０は、パーソナルコンピュータ１００から画像データを無線通信で供給されると内部で画像データを投写できる状態に画像処理をして、その画像データが、投写部５０からスクリーン４００に拡大投写される。
【００４６】
パーソナルコンピュータ１００は、詳しくは後述するが（図５、参照）、大きくは、表示部１１０と機能操作する操作部１２０とから構成され、端面に前述した無線ＬＡＮカード３１０が挿着されている。その近傍にメモリカード３２０が挿着されるメモリカードスロット１６０が設けられている。このメモリカード３２０を、メモリカードスロット１６０に挿着し、パーソナルコンピュータ１００のネットワーク情報をメモリカード３２０に転送し、さらに、このメモリカード３２０をプロジェクタ１０のメモリカードスロット６０に挿着することによって、プロジェクタ１０にネットワーク接続情報を転送し、パーソナルコンピュータ１００とプロジェクタ１０とのネットワーク接続が確立される。
【００４７】
図５は、実施例２のプレゼンテーションシステムの構成を示すブロック図である。ここで、図５では、本発明に係るネットワーク接続に必要な構成について示しており、他の構成については図示及び説明を省略する。図５において、情報端末装置としてのパーソナルコンピュータ１００は、ネットワーク接続設定に必要な情報が記憶されている記憶部１３０と、その記憶されている情報を用いて無線ＬＡＮ立ち上げ、通信接続をする無線ＬＡＮ接続用ソフトウエア１４０と、無線通信出力指示及びネットワーク接続のための出力をする通信部１５０と、ネットワーク接続情報を記憶するメモリカード３２０が挿着されるメモリカードスロット１６０と、プロジェクタ１０に備えられた無線ＬＡＮカード３００と無線通信を行う無線ＬＡＮカード３１０と、を備えている。
【００４８】
さらに、無線ＬＡＮ接続用ソフトウエア１４０の立ち上げ、通信部１５０の通信指示を行うキーボードやマウスなどの操作部１２０を備え、また、前述したネットワーク接続に必要な情報及び他のアプリケーション情報を表示する表示部１１０を備えている。
パーソナルコンピュータ１００はこのような構成であり、まず、ネットワーク接続に必要な情報がメモリカード３２０に転送される。
【００４９】
プロジェクタ１０は、前述のネットワーク接続情報を記憶したメモリカード３２０を挿着するメモリカードスロット６０とこのメモリカード３２０から転送されるネットワーク接続情報を記憶する記憶部２０と、無線ＬＡＮの通信接続を確立した後、パーソナルコンピュータ１００との間で無線通信を行う無線ＬＡＮカード３００とを備えている。
【００５０】
ネットワーク接続情報が入力されたメモリカード３２０をパーソナルコンピュータ１００から抜脱し、プロジェクタ１０のメモリカードスロット６０に挿着することで、前述したようにパーソナルコンピュータ１００とプロジェクタ１０との無線ＬＡＮによるネットワーク接続が確立されるのである。
また、プロジェクタ１０は、無線通信によって送信されるパーソナルコンピュータ１００の画像データを、投写画像データに変換処理をする表示制御部３０と、この画像データを投写する投写部５０を備えている。
【００５１】
次に、前述した実施例２のプレゼンテーションシステムの操作手順について説明する。
図６は、実施例２のネットワーク接続の流れを示すフローチャートである。図４、図５も参照して説明する。図６において、まず、パーソナルコンピュータ１００の無線ＬＡＮ接続用ソフトウエア１４０を立ち上げる（ＳＴ２０）。続いて、パーソナルコンピュータ１００のメモリカードスロット１６０にメモリカード３２０を挿着する（ＳＴ２１）。すると、メモリカード３２０にネットワーク接続情報（無線ＬＡＮ設定情報）が記憶される（ＳＴ２２）。
なお、ＳＴ２０とＳＴ２１の工程は前後入れ替えてもよい。
【００５２】
次に、メモリカード３２０をメモリカードスロット１６０から取りだし（ＳＴ２３）、プロジェクタ１０に設けられたメモリカードスロット６０に、このメモリカード３２０を挿着する（ＳＴ２４、図４中、二点鎖線で示す）。プロジェクタ１０では、記憶部２０にメモリカード３２０のネットワーク接続情報を記憶させる（ＳＴ２５）。すると、プロジェクタ１０に先行して入力されているネットワーク接続情報（無線ＬＡＮ設定情報）が新しい情報に更新される（ＳＴ２６）。こうして、パーソナルコンピュータ１００とプロジェクタ１０との無線通信の接続が確立され（ＳＴ２７）、無線ＬＡＮによって、パーソナルコンピュータ１００の画像情報がプロジェクタ１０に送信され、画像データがスクリーン４００に拡大投写されるのである。
【００５３】
この際、メモリカード３２０は、無線通信の接続が完了してから、プロジェクタ１０から抜脱してもよいが、そのまま挿着しておけば、プロジェクタ１０のネットワーク接続情報の記憶部として使用することもできる。この場合、記憶部２０の構成を簡素にすることができる。
【００５４】
従って、前述の実施例２では、情報記憶媒体がメモリカード３２０の場合、メモリカード３２０をパーソナルコンピュータ１００のメモリカードスロット１６０に挿着することで、ネットワーク接続情報をメモリカード３２０に転送し、また、このメモリカード３２０を画像投写対象のプロジェクタ１０の、やはりメモリカードスロット６０に挿着することで、パーソナルコンピュータ１００とプロジェクタ１０とのネットワーク接続が確立されるので、パーソナルコンピュータ１００の煩わしいキーボード、マウス等の操作をせずにネットワーク接続を確立することができる。
また、メモリカードをユーザーが直接扱うことになるため情報の秘匿性が高められ、不正使用が防止できるという効果もある。
【００５５】
なお、本発明は前述の実施例１及び実施例２に限定されるものではなく、本発明の目的を達成できる範囲での変形、改良等は本発明に含まれるものである。
例えば、前述の実施例１、実施例２では、パーソナルコンピュータ１００（図１、図４、参照）とプロジェクタ１０との１台づつのネットワーク接続としたが、このネットワーク接続のための通信は同じ通信チャンネルである場合、先述のフローチャート（図３、図６、参照）のような手順で、複数のプロジェクタに１台のパーソナルコンピュータ１００の画像データを切換えて投写することができる。このことは逆に、複数のパーソナルコンピュータとプロジェクタ１０のネットワーク接続を確立すれば、複数のパーソナルコンピュータから異なる画像データを切換えて投写することができる。
【００５６】
また、前述の実施例１では情報記憶媒体として赤外線リモートコントローラ２００を採用し、実施例２では情報記憶媒体としてメモリカードを採用しているが、この二つの記憶媒体を組み合わせて採用することができる。
例えば、パーソナルコンピュータ１００のネットワーク接続情報をメモリカード３２０に転送し、赤外線リモートコントローラ２００にメモリカードスロットを設け、メモリカード３２０を挿着して、プロジェクタ１０に赤外線通信によって、このネットワーク接続情報を送信することができる。
【００５７】
このようにすれば、ＵＳＢ端子２３０、ＵＳＢ接続ケーブル２４０が不要になる他、プロジェクタ１０が、天吊りなど、ユーザーと離れた位置にある場合でも、ネットワーク接続やプロジェクタの操作制御等の遠隔操作を行うことができる。
【００５８】
また、前述の実施例１では、赤外線リモートコントローラ２００をパーソナルコンピュータ１００との接続を切断してから、プロジェクタ１０にネットワーク接続情報を送信しているが、ＵＳＢ接続をしたままでネットワーク接続情報を送信することができる。
【００５９】
また、前述の実施例では、無線ＬＡＮによる無線通信を行う場合について説明したが、有線通信を採用する場合にも適用することができる。
さらには、前述の実施形態では、プロジェクタ１０を用いた画像投写システムについて説明したが、画像表示装置と情報端末装置とがネットワーク接続された他の画像表示システムに適用することも可能である。
【００６０】
従って、前述の実施例１、実施例２によれば、画像データを供給するパーソナルコンピュータ１００と、無線通信によってネットワーク接続されるプロジェクタ１０と、情報記憶媒体として赤外線リモートコントローラ２００またはメモリカード３２０と、を備え、この情報記憶媒体にパーソナルコンピュータ１００のネットワーク接続情報を記憶させた後、この情報記憶媒体からプロジェクタ１０にネットワーク接続情報を送信することで、簡単にネットワーク接続を確立できるプレゼンテーションシステムを提供することができる。
【図面の簡単な説明】
【００６１】
【図１】本発明の実施例１に係るプレゼンテーションシステムの概略構成を示す説明図。
【図２】本発明の実施例１に係るプレゼンテーションシステムの概略構成を示すブロック図。
【図３】本発明の実施例１に係るプレゼンテーションシステムのネットワーク接続の手順を示すフローチャート。
【図４】本発明の実施例２に係るプレゼンテーションシステムの概略構成を示す説明図。
【図５】本発明の実施例２に係るプレゼンテーションシステムの概略構成を示すブロック図。
【図６】本発明の実施例２に係るプレゼンテーションシステムのネットワーク接続の手順を示すフローチャート。
【符号の説明】
【００６２】
１０…プロジェクタ、２０…記憶部、６０，１６０…メモリカードスロット、４０…赤外線受信部、５０…投写部、１００…パーソナルコンピュータ、１１０…表示部、１２０…操作部、１３０…記憶部、１４０…無線ＬＡＮ接続用ソフトウエア、１５０…通信部、２００…プロジェクタ、２１０…表示部、２２０…操作部、２３０…ＵＳＢ端子、２４０…ＵＳＢ接続ケーブル、２５０…赤外線送信部、２６０…記憶部、３００，３１０…無線ＬＡＮカード、３２０…メモリカード。
【図１】
2005202754.tif 000003
【図２】
2005202754.tif 000004
【図３】
2005202754.tif 000005
【図４】
2005202754.tif 000006
【図５】
2005202754.tif 000007
【図６】
2005202754.tif 000008